(57)【要約】ビデオプロジェクタ用投光システムは、光ビーム（１、１’）と、該光ビーム（１、１’）を複数の単色成分に分離するよう適合化された第１の手段（１２、１２’、１３）と、それぞれが前記単色成分の１つを反射する複数のＤＭＤ装置（８、９、１０）と、前記単色成分を前記複数のＤＭＤ装置（８、９、１０）に向けて伝送するよう適合化された複数の装置（１４、１４’、１４”、１４” ’、１６、１７、１８、１９、２０、２１）と、を含み、特徴として、前記第１の手段（１２、１２’、１３）から離れており且つ前記ＤＭＤ装置（８、９、１０）から到来する前記単色成分を、投影レンズ（７）に伝送される光ビーム（１１）の形に再構成するように適合された第２の手段（Ｄ１、Ｄ２、２２、２３、２４、２５、２７、２８、２９）が存在する。
2007534004.tif 000002
【特許請求の範囲】
【請求項１】
光ビーム（１、１’）と、
前記光ビーム（１、１’）を複数の単色成分に分離するよう適合化された第１の手段（１２、１２’、１３）と、
各々が前記複数の単色成分の１つを反射する複数のＤＭＤ装置（８、９、１０）と、
前記複数の単色成分を前記複数のＤＭＤ装置（８、９、１０）に向けて伝送するよう適合化された複数の装置（１４、１４’、１４”、１４”’、１６、１７、１８、１９、２０、２１）と、を含み、
前記第１の手段（１２、１２’、１３）とは分離して配置された第２の手段であって、前記複数のＤＭＤ装置（８、９、１０）から到来する前記複数の単色成分を、１つの投影レンズ（７）に送られるべき光ビーム（１１）の形に再構成するよう適合化された第２の手段（Ｄ１、Ｄ２、２２、２３、２４、２５、２７、２８、２９）が設けられていることを特徴とする、ビデオプロジェクタ用投光システム。
【請求項２】
前記複数の装置（１４、１４’、１４”、１４”’、１６、１７、１８、１９、２０、２１）はＴＩＲプリズム（１６、１８、２０）を含むものであることを特徴とする、請求項１に記載のビデオプロジェクタ用投光システム。
【請求項３】
各ＤＭＤ装置（８、９、１０）に１つのＴＩＲプリズム（１６、１８、２０）が関連づけて設けられていることを特徴とする、先の１以上の請求項のいずれかに記載のビデオプロジェクタ用投光システム。
【請求項４】
前記ビデオプロジェクタは３つのＤＭＤ装置（８、９、１０）を使用していることを特徴とする、先の１以上の請求項いずれかに記載のビデオプロジェクタ用投光システム。
【請求項５】
前記ビデオプロジェクタは２つのＤＭＤ装置（８、９）を使用していることを特徴とする、請求項１乃至３のいずれかに記載のビデオプロジェクタ用投光システム。
【請求項６】
前記光ビーム（１、１’）を複数の単色成分に分離するように適合化された前記第１の手段（１２、１２’、１３）は、複数のダイクロイック・フィルタ（１２、１２’、１３）を含んで成るものであることを特徴とする、請求項１に記載のビデオプロジェクタ用投光システム。
【請求項７】
前記ＤＭＤ装置（８、９、１０）から到来する前記複数の単色成分を、１本の光ビーム（１１）の形に再構成する前記第２の手段（Ｄ１、Ｄ２、２２、２３、２４、２５、２７、２８、２９）は、複数のダイクロイック・フィルタ（Ｄ１、Ｄ２、２８、２９）を含んで成るものであることを特徴とする、請求項１に記載のビデオプロジェクタ用投光システム。
【請求項８】
前記ＤＭＤ装置（８、９、１０）から到来する前記複数の単色成分を、１本の光ビーム（１１）の形に再構成する前記第２の手段（Ｄ１、Ｄ２、２２、２３、２４、２５、２７、２８、２９）は、複数のＴＩＲフィルタ（２３、２４）を含んで成るものであることを特徴とする、請求項１に記載のビデオプロジェクタ用投光システム。
【請求項９】
光ビーム（１、１’）と、
前記光ビーム（１、１’）を複数の単色成分に分離するよう適合化された第１の手段（１２、１２’、１３）と、
各々が前記複数の単色成分の１つを反射する複数のＤＭＤ装置（８、９、１０）と、
前記複数の単色成分を前記複数のＤＭＤ装置（８、９、１０）に向けて伝送するよう適合化された複数の装置（１４、１４’、１４”、１４”’、１６，１７、１８、１９、２０、２１）と、を含み、
各ＤＭＤ装置（８、９、１０）に、該各ＤＭＤ装置（８、９、１０）によって前記投影レンズ（７）に送られるべき任意の単色成分の光ビームの寸法（大きさ）を制御する光学的開孔（２６）を有する構成要素（２３、２４、２５、２７）が関連づけて設けられていることを特徴とする、ビデオプロジェクタ用投光システム。
【請求項１０】
前記構成要素（２３、２４、２５、２７）は１つの直角柱プリズム（２３、２４、２５、２７）であることを特徴とする、先の請求項に記載のビデオプロジェクタ用投光システム。
【請求項１１】
前記直角柱プリズム（２３、２４、２５、２７）は１つのＴＩＲプリズム（２３、２４）であることを特徴とする、先の請求項に記載のビデオプロジェクタ用投光システム。
【請求項１２】
前記直角柱プリズム（２３、２４、２５、２７）は平行六面体の形状を有する装置（２７）であることを特徴とする、請求項１０に記載のビデオプロジェクタ用投光システム。
【請求項１３】
前記装置（２７）はダイクロイック・フィルタ（２８、２９）を含むように作用するものであることを特徴とする、先の請求項に記載のビデオプロジェクタ用投光システム。
【請求項１４】
前記光学的開孔（２６）は、前記ＤＭＤ装置（８、９、１０）によって反射された単色成分中に存在する最終的なスプリアス色成分を濾波するように加工されることが可能であることを特徴とする、請求項９に記載のビデオプロジェクタ用投光システム。
【請求項１５】
前記光学的開孔（２６）は長方形の形状であることを特徴とする、請求項９乃至１４のいずれかに記載のビデオプロジェクタ用投光システム。
【発明の詳細な説明】
【技術分野】
【０００１】
本発明は、複数のＤＭＤ（ディジタル・マイクロミラー装置：Digital Micromirror Device）装置を使用したビデオプロジェクタ（映像投影機）用投光（イルミネーション、照射）システム（装置）に関する。以下の説明では、これらの装置を表すために、常に前記の短縮語ＤＭＤの用語が使用されるが、その英語名は前記“Digital Micromirror Device（ディジタル・マイクロミラー装置）”である。
【背景技術】
【０００２】
簡単に言えば、ＤＭＤ装置すなわちパネルは、一辺が約１４μｍの典型的にはアルミニウム製の１組の複数の小さな正方形のミラー(鏡)からなり、各ミラーは投影されるべき映像（画像）の要素、即ちピクセルを形成する。ミラーはある角度、例えば±１２度の対角線を中心として回転することができ、回転軸に関して反対側にあるミラーの下に配置された２個の電極によっていずれの方向にも回転させられる。
【０００３】
ミラーが“休止”（rest）位置にあるとき、即ちミラーが２個のいずれの電極によっても引き付けられていないときは、光はミラー面に垂直に対して約２６度の角度で該ミラーに入射する。そのミラーが一方向に回転すると、該ミラーに入射する光は投影レンズに入射するような形態で反射され、従ってスクリーンに向けて伝送されず、そのときピクセルは“オフ”状態にある。ミラーが反対方向に回転すると、ピクセルは“オン”状態になり反射光はスクリーンに向けて伝送される。
【０００４】
より経済的なプロジェクタでは、単一のＤＭＤ装置が使用され、この場合、前記ＤＭＤのミラーは、照明ランプの光を、カラー・ホイール(colour wheel：色相環、色彩環、色環)という名称でも知られている回転ホイール（rotating wheel）に伝送することによって得られる３原色の赤、緑、青によって順次に投光される。
【０００５】
前記カラー・ホイールは３個のセクタ（sector）に分割されており、各セクタは３原色の赤、緑、青のうちの１つに対応するダイクロイック・フィルタを含む。これらのダイクロイック・フィルタは、実際には低または高屈折率を有する複数の層からなり、それは、そのダイクロイック・フィルタのタイプおよび層数に基づいて、赤、緑、青等であり得る基本彩色（basic coloration）をとることができる。
【０００６】
さらに、これらのダイクロイック・フィルタは、これらが干渉の原理で動作するとき、即ち、非常に特殊な特性を有し、白色光源から本質的に（基本的に）２色を分離し、これらの色のうちの１色を透過（通過）させ、第１の色に対して相補関係にある他の色を反射させる。
【０００７】
そこで、各々が３原色のうちの１つの色に対応する複数のダイクロイック・フィルタを具えたカラー・ホイールが回転すると、投光用ランプによって投光された光の経路（パス）を前記カラー・ホイールの位置に応じて異なるタイプのダイクロイック・フィルタによってブロック（阻止）することができる。それによって、ダイクロイック・フィルタによって透過（通過）させられる光ビームは、赤、緑および青のような３原色の単色成分のうちの１成分に対応する彩色（colouring）を順次にとることが可能になる。
【０００８】
次いで、前記の各単色成分はＤＭＤ装置に送られる。
【０００９】
例えば大きなスクリーンを照射するために非常に高い輝度（明るさ）を必要とするときは、プロジェクタに使用されるＤＭＤ装置の数を増し、通常は３個のＤＭＤ装置が使用され、この場合、ランプの光はプリズムによって３つの単色成分の赤、緑および青に分割され、その各単色成分は異なるＤＭＤ装置に伝送される。
【００１０】
図１は３つのＤＭＤ装置（簡略化するために光を３原色の単色成分（赤、緑、青）の形に分離する点に関する部分のみが表されている）と、それに続く３つのＤＭＤ装置の投光と、それら単色成分を１本の光ビームに再構成することを使用した公知の投光システム（装置）とを概略的に示している。
【００１１】
参照番号１によって表す連続する線は均一（均質）に作られ、図には示されていない周知の処理によって収束された白色の光ビームを表す。
【００１２】
プリズム２は周知のタイプのＴＩＲ（全内部反射：Total Internal Reflection、以下の説明では常にこの短縮語で表す）であり、該ＴＩＲプリズム２は、参照番号３で示された関連する第２のプリズムから前記プリズム２を分離する空気層の存在により全反射タイプで作用する。
【００１３】
次いで、白色光ビーム１はＴＩＲプリズム２によって反射されてプリズム４に向かい、プリズム４とプリズム５とを分離するダイクロイック面は、例えば白色光ビーム１の緑および青単色成分を透過（通過）させ、赤単色成分を反射する第１のダイクロイック・フィルタＦ１を構成している。従って、後者の赤単色成分は破線矢印によって示された経路を辿り、先ずＤＭＤ装置８を照射し、次いで経路ａ−ｂ−ｃを辿り、ＤＭＤ装置８によって投影レンズ７に向けて反射され、次いで経路ｃ−ｄ−ｆ−ｎを辿る。
【００１４】
共同してシアンの光ビームを形成する緑と青の単色成分は経路ａ−ｅを辿ってプリズム５を横切り、プリズム５とプリズム６との間の境界（分離）面に到達する。
【００１５】
プリズム５とプリズム６との間の前記境界面は青単色成分を反射する第２のダイクロイック・フィルタＦ２を形成し、一方、図１に点線で示す緑単色成分は経路ｅ−ｇを辿ってＤＭＤ装置９を照射する。次いで、後者のＤＭＤ装置９は緑単色成分をｇ−ｈ−ｆ−ｎを辿って投影レンズ７に向かう方向に反射する。同様に、１点鎖線で示した青単色成分は、ダイクロイック・フィルタＦ２によって反射され、経路ｅ−ｉ−ｌを辿ってＤＭＤ装置１０を照射する。次いで、前記青単色成分はＤＭＤ装置１０によって反射されてダイクロイック・フィルタＦ１、Ｆ２に向かい、経路ｌ−ｍ−ｈ−ｆ−ｎを辿って投影レンズ７に到達する。
【００１６】
図１に示す公知の投光システムでは、３つの単色光成分は、それらがいったんＤＭＤ装置８、９および１０によって反射されると、投影レンズ７に伝送され、次いでスクリーン（図１には示されていない）に向けて伝送されるように、単一の光ビーム１１を構成するように点ｆで一致しなければならない。
【００１７】
図１に示す公知の投光システムには幾つかの欠点がある。第１の欠点は、ダイクロイック・フィルタＦ１およびＦ２が白色光をそれぞれのＤＭＤ装置８、９および１０に送られるべき３つの単色成分に分離する場合と、ＤＭＤ装置８、９および１０によって反射された光を投影レンズ７に送られるべき単一の光ビームに再構成する場合の両方で作用するという事実に起因するものである。
【００１８】
図１に示すように、ＤＭＤ装置８、９および１０に伝送される単色成分を含むダイクロイック・フィルタＦ１およびＦ２上の光ビームの入射角が、ＤＭＤ装置８、９および１０によって反射される単色成分の前記ダイクロイック・フィルタＦ１およびＦ２への入射角と異なることを考慮すると、ダイクロイック・フィルタの加工は困難なものであり、また色収率（chromatic yield）は最適ではない。
【００１９】
さらに、ＤＭＤ装置８、９および１０の作用（有効）面は完全に照射されなければならず、白色光ビーム１および単色成分のそれぞれの単一の光ビームは、そのシステム（系）の種々の許容誤差を考慮して、充分に広い断面（section、部分）を持つ必要がある。このことは、投光システム全体の輝度が減少し、またＴＩＲプリズム２の寸法およびダイクロイック・フィルタＦ１、Ｆ２を境界（分離）面上に形成している（実現している）プリズム４、５および６の寸法が増大すること、を意味する。
【００２０】
さらに、各単色成分の光ビームの一部は、いずれにしてもＤＭＤ装置８、９および１０のいずれかの“スイッチ・オフ”状態のピクセルによっても反射され、プリズム４、５および６中の放光（shedding：発散、放射）は他の２つのＤＭＤ装置にも影響し（関係し）、コントラストを低下させる。
【００２１】
本発明の目的は、上述のような欠点を解消することによって、簡単に実現することができ、しかも性能を向上させたビデオプロジェクタを確実に製造することができるビデオプロジェクタ用光学的投光システム（照射装置）を提案することにある。
【発明の開示】
【００２２】
このような目的と実現するために、本発明は、本明細書の必須の部分を構成する添付の請求の範囲に記載の特徴を具えたビデオプロジェクタ用投光システム（照射装置）を提供することを目的とする。
【００２３】
本発明の他の目的および効果（利点）は以下の詳細な説明および添付の図面から明らかになる。これらの詳細な説明および図面は本発明をそれに限定することを意図するものではなく、単なる例として示すものである。
【００２４】
各図面において、同じ参照番号で表されるブロックは同様に作用することは明らかである。
【００２５】
図２は、本発明によるビデオプロジェクタ用投光（illumination：照射）システムの第１の実施形態を示している。このシステムでは参照番号８、９および１０で示された３つのＤＭＤ装置が使用されている。
【００２６】
光ビーム１は白色光よりなり、この光ビーム１はダイクロイック・フィルタ１２に送られ、該ダイクロイック・フィルタ１２は緑および青の単色成分をダイクロイック・フィルタ１３に向けて反射し、赤単色成分を透過（通過）させる。
【００２７】
前記赤単色成分は、破線矢印で示す経路ｋ−ｏ−ｃ−ｐ−ｑ−ｎを辿り、プリズム１７が結合された（に関連して設けられた）ＴＩＲタイプのプリズム１６によってＤＭＤ装置８に向けて伝送（投射、放射）され、該ＤＭＤ装置８はそれをプリズム２２が結合された（に関連して設けられた）ＴＩＲタイプのプリズム２３に向けて反射させる。ＴＩＲプリズム２３は、赤単色成分を、ＴＩＲプリズム２４と対面するプリズム２３の面上にある点ｑに向けて反射する。前記プリズム２３の面は、赤単色成分を反射し緑および青の単色成分を透過（通過）させるダイクロイック・フィルタＤ１を構成し、これによって赤単色成分は点ｑから点ｎに向けて反射され、次いで投影レンズ７に導かれる。
【００２８】
緑および青単色成分によりなる光ビームは、ダイクロイック・フィルタ１２によって反射された後、ダイクロイック・フィルタ１３に入射する。ダイクロイック・フィルタ１３は青単色成分を透過（通過）させ、緑単色成分をミラー１４’に向けて反射する。後者の緑単色成分は、点線矢印で示す経路ｒ−ｓ−ｔ−ｇを辿り、ミラー１４’で反射されて、プリズム１９が結合された（に関連して設けられた）ＴＩＲプリズム１８に向かい、ＤＭＤ装置９に到達する。
【００２９】
ＤＭＤ装置９は緑単色成分をプリズム２５に向けて反射し、該プリズム２５と対面するＴＩＲプリズム２４は青単色成分を反射し緑単色成分を透過（通過）させるダイクロイック・フィルタＤ２を構成し、それによって緑単色成分は経路ｇ−ｕ−ｑ−ｎを辿って点ｎにまで達し、さらに投影レンズ７に到達することができる。
【００３０】
青単色成分は、ダイクロイック・フィルタ１３を横切った後ミラー１４によって反射され、一点鎖線矢印で示された経路ｖ−ｚ−ｌ−ｙ−ｕ−ｑ−ｎを辿り、先ずプリズム２１が結合された（に関連して設けられた）ＴＩＲプリズム２０によってＤＭＤ装置１０に伝送され、次いでＴＩＲプリズム２３が結合された（に関連して設けられた）ＴＩＲプリズム２４に向かい、該ＴＩＲプリズム２４は青単色成分をプリズム２５に向けて反射する。前述のように、ダイクロイック・フィルタＤ２は青単色成分を反射するので、該青単色成分は点ｑに向けて反射され、次いで投影レンズ７に向かう。従って、点ｑにおいて３原色の赤、緑および青成分は単一の光ビームの形に再構成され、投影レンズ７に送られる。
【００３１】
実質上、光ビーム１は２つのダイクロイック・フィルタ１２および１３によって３原色成分（赤、青、緑）に分離され、前記各３原色の単色成分は３個のＴＩＲプリズム１６、１８、２０の各々に送られる。ＴＩＲプリズム１６、１８、２０はそれぞれＤＭＤ装置８、９、１０に関連づけて設けられて（結合されて）いる。
【００３２】
一方、ＤＭＤ装置８、９、１０から到来する３原色の単色成分の単一光ビームへの再構成は、
−ＴＩＲプリズム２４と対面し、赤単色成分を反射し緑および青の各単色成分を透過（通過）させるＴＩＲプリズム２３の表面上において形成（得られる）第１のダイクロイック・フィルタＤ１と、
−プリズム２５と対面し、青単色成分を反射し緑単色成分を透過（通過）させるＴＩＲプリズム２４の表面上において形成（得られる）第２のダイクロイック・フィルタと、
−赤単色成分を、これがダイクロイック・フィルタＤ１によって投影レンズ７に向けて反射されるように点ｑに向けて伝送（投射）する第１のＴＩＲプリズム２３と、
−青単色成分をダイクロイック・フィルタＤ２に向けて反射しさらにこの青単色成分を点ｑに向けて、その結果として投影レンズ７に向けて反射させる第２のＴＩＲプリズム２４と、
を使用して行われる。
【００３３】
ＤＭＤ装置９から到来する緑単色成分はダイクロイック・フィルタＤ１およびＤ２によって透過（通過）させられ、それによって緑単色成分はそれ自身ダイクロイック・フィルタＤ２上の点ｕにおいて青単色成分と、またダイクロイック・フィルタＤ１上の点ｑにおいて赤単色成分と再構成される。このようにして３つの単色成分が単一の光ビームに再構成される。
【００３４】
ダイクロイック・フィルタ１２および１３は白色光を３原色の単色（赤、緑および青）に分離するのみであるから、ダイクロイック・フィルタ１２および１３を簡単に実現することができ、またシステムの配置（方向付け）も簡単になる。
【００３５】
同様な考え方がダイクロイック・フィルタＤ１およびＤ２についても適用され、これらのダイクロイック・フィルタは光ビーム１１の単色成分の再構成の段階（フェーズ）においてのみ使用され、それによって単色成分の光ビームの寸法および光ビーム１１の寸法を最適化することができ、その結果として投光システム全体の効率を増大させることができる。
【００３６】
通常、本願発明のビデオプロジェクタの目的で使用される投光システムでは、ダイクロイック・フィルタ１２、１３、Ｄ１、Ｄ２、およびＴＩＲプリズム１６、１８、２０、２３、２４、およびそのＴＩＲプリズム２３、２４に関連づけて設けられた（結合された）プリズム２２および２５は、共に、公知の投光システムで使用されるものに比して寸法が縮小されている。
【００３７】
それぞれがＤＭＤ装置８、９および１０と対面し、図２中で太線で示されているＴＩＲプリズム２３、２４およびプリズム２５の各面は、それぞれ図３の正面図に示すように構成されている。これらの各面は例えば長方形の光学的開孔２６を有し、各ＤＭＤ装置８、９、１０の“スイッチ・オン”された（switched-on）ピクセルの反射された光のみを通過させ、“スイッチ・オフ”された（switched-off）ピクセルによって拡散された（diffused）光はその表面の残りの部分で阻止される。
【００３８】
次いで、前記の光学的開孔２６は、各ＤＭＤ装置８、９、１０によって投影レンズ７に向けて伝送されるすべての単色成分の光ビームの寸法を制御するように適合化されており、これによって“スイッチ・オフ”されたピクセルによって拡散された光が他の２つのＤＭＤ装置に到達してコントラストを低下させるのを防止することができる。
【００３９】
さらに、各光学的開孔２６を、ＤＭＤ装置８、９、１０から到来する単色成分中に存在する最終的なスプリアス（偽の）色成分を濾波することができるような形態に加工（処理）することも可能であり、これによって再生される色をさらに純化することができる。
【００４０】
図４は本発明の第２の実施形態を示している。図４の実施形態では、緑単色成分がミラー１４’と、さらにミラー１４”およびミラー１４’”を使用して各ＤＭＤ装置９に送られる点を除けば、図２に示した実施形態とまったく同様に、光ビーム１は３原色の単色成分に分離され、該３原色の単色成分はＤＭＤ装置８、９および１０に向けて反射される。
【００４１】
ＤＭＤ装置８、９および１０で反射された３つの単色成分は２つのダイクロイック・フィルタ２８および２９によって単一の光ビーム１１に再構成される。前記２つのダイクロイック・フィルタ２８および２９は互いに直交し、且つこれらの各ダイクロイック・フィルタに入射する単色成分の方向に対して約４５度だけ傾斜して配置されている。
【００４２】
前記ダイクロイック・フィルタ２８および２９は、一般的に直立したプリズム上に配置されており、周知の特性、平行六面体の形状を有する装置２７を構成している。
【００４３】
図５は装置２７を３次元的に示している。使用に当たってはこの装置２７は本発明によるビデオプロジェクタ用投光システム内に、その３つの面がそれぞれＤＭＤ装置８、９および１０と平行になるように配置され、またこれらの３つの面の各々は図３に示すものと同じ構成を有し、従って先の説明をそのまま適用することができる。
【００４４】
図４を参照すると、ダイクロイック・フィルタ２８および２９は共に緑単色成分を透過（通過）させ、ダイクロイック・フィルタ２８は赤単色成分を反射し、青単色成分を透過（通過）させ、ダイクロイック・フィルタ２９は青単色成分を反射し、赤単色成分を透過（通過）させる。実際にはダイクロイック・フィルタ２８および２９はＤＭＤ装置８、９および１０から到来する３つの単色成分を単一の光ビーム１１に再構成する。
【００４５】
次に光ビーム１１は投影レンズ７に伝送される。図４では前記レンズ７は破線で示されおり、可能性のある機械的および光学的干渉を避けるために、投影レンズ７をダイクロイック・フィルタ１２および１３および反射面１４および１４’が配置された面に対して（関して）異なる面に配置する必要があることを示している。
【００４６】
図４に例として示した実施形態では、ダイクロイック・フィルタ１２および１３を使用して光ビーム１を３原色の単色成分に分離し、各単色成分はそれぞれＤＭＤ装置８、９および１０に向けて伝送される。これに対して前記ＤＭＤ装置８、９および１０から到来する単色成分を単一の光ビーム１１に再構成するのに、ダイクロイック・フィルタ２８および２９が使用される。
【００４７】
本願発明の新規な原理から逸脱することなく、本願発明による投光システムに多くの変形を施すことができることは明らかである。
【００４８】
例えば、図６は２つのＤＭＤ装置８および９を使用した本発明によるビデオプロジェクタ用の投光システムを示している。
【００４９】
この実施形態では、光ビーム１’は、順次、赤と緑の各単色成分によって形成される黄の光ビームと、赤と青の各単色成分によって形成されるマゼンタの光ビームとによって、構成される。
【００５０】
前記のマゼンタと黄の光ビームは、白色光ビームを図６には示されていないカラー・ホイールに伝送することによって得られる。この場合、前記カラー・ホイールは、２つのセクタ（区域）に分割されている。その２つのセクタのうちの第１のセクタ（区域）は、青単色成分を反射し、黄の光ビーム１’を透過（通過）させるダイクロイック・フィルタで構成されている。その２つのセクタのうちの第２のセクタ（区域）は、緑単色成分を反射し、マゼンタ光ビーム１’を透過（通過）させるダイクロイック・フィルタを有する。
【００５１】
ダイクロイック・フィルタ１２’は、順次に黄またはマゼンタである光ビーム１’中の赤単色成分を反射し、次いで、該赤単色成分は反射面１４によってＴＩＲプリズム１６に向けて偏向（deviate）され、さらに該ＴＩＲプリズム１６によってＤＭＤ装置８に向けて偏向される。
【００５２】
さらに、ダイクロイック・フィルタ１２’は黄光ビーム１’中の緑単色成分と、マゼンタ光ビーム１中の青単色成分を透過（通過）させる。これらの緑および青単色成分はダイクロイック・フィルタ１２’に順次に伝送された光ビームの部分であるので、これらはまた反射面１４” ’によってＴＩＲプリズム１８に向けて順次に偏向（反射）され、さらに該ＴＩＲプリズム１８はその光ビームをＤＭＤ装置９に向けて反射する。
【００５３】
装置２７は２つの作用面しか持たず、これらはそれぞれＤＭＤ装置８および９に向いており、これらの各ＤＭＤ装置は既に述べた光学的開孔２６を有している。さらに、装置２７にはダイクロイック・フィルタ２８のみが存在し、該ダイクロイック・フィルタ２８は赤単色成分を投影レンズ７に向けて反射し、またＤＭＤ装置９によって順次に反射された後の緑および青単色成分を透過（通過）させる。
【００５４】
従って、図６に例として示した実施形態では、ダイクロイック・フィルタ１２’は光ビーム１’を２つの単色成分のうちの１つに分離し、一方、ダイクロイック・フィルタ２８は３原色の単色成分を再構成して光ビーム１１を形成する。
【００５５】
ここで説明した投光システムに関係する当業者によってその他の多くの変更および適用例（応用例）が容易に得られ使用されることは明らかなことであり、本発明の実際の使用に当たっては各構成要素の形状および寸法は異なる可能性があり、また均等な（等価な）技術的に構成要素で置換できることも明らかである。
【図面の簡単な説明】
【００５６】
【図１】図１は公知の投光システムを示している。
【図２】図２は本発明による投光システムの第１の実施形態を示している。
【図３】図３は図２の投光システムの細部を示している。
【図４】図４は本発明による投光システムの第２の実施形態を示している。
【図５】図５は図４の実施形態に関連して用いられる投光システムの細部を示している。
【図６】図６は本発明による投光システムの第３の実施形態を示している。
【図１】
2007534004.tif 000003
【図２】
2007534004.tif 000004
【図３】
2007534004.tif 000005
【図４】
2007534004.tif 000006
【図５】
2007534004.tif 000007
【図６】
2007534004.tif 000008
【手続補正書】
【提出日】平成17年7月4日(2005.7.4)
【手続補正１】
【補正対象書類名】明細書
【補正対象項目名】特許請求の範囲
【補正方法】変更
【補正の内容】
【特許請求の範囲】
【請求項１】
光ビーム（１、１’）と、
前記光ビーム（１、１’）を複数の単色成分に分離するよう適合化された第１の手段（１２、１２’、１３）と、
各々が前記複数の単色成分の１つを反射する複数のＤＭＤ装置（８、９、１０）と、
前記複数の単色成分を前記複数のＤＭＤ装置（８、９、１０）に向けて伝送するよう適合化された複数の装置（１４、１４’、１４”、１４”’、１６、１７、１８、１９、２０、２１）と、を含み、
前記第１の手段（１２、１２’、１３）とは分離して配置された第２の手段であって、前記複数のＤＭＤ装置（８、９、１０）から到来する前記複数の単色成分を、１つの投影レンズ（７）に送られるべき光ビーム（１１）の形に再構成するよう適合化された第２の手段（Ｄ１、Ｄ２、２２、２３、２４、２５、２７、２８、２９）が設けられており、前記第２の手段は複数のダイクロイック・フィルタ（Ｄ１、Ｄ２、２８、２９）と複数のＴＩＲプリズム（２３、２４）とを含んで成ることを特徴とする、ビデオプロジェクタ用投光システム。
【請求項２】
前記複数の装置（１４、１４’、１４”、１４”’、１６，１７、１８、１９、２０、２１）はＴＩＲプリズム（１６、１８、２０）を含むものであることを特徴とする、請求項１に記載のビデオプロジェクタ用投光システム。
【請求項３】
各ＤＭＤ装置（８、９、１０）に１つのＴＩＲプリズム（１６、１８、２０）が関連づけて設けられていることを特徴とする、請求項１または２に記載のビデオプロジェクタ用投光システム。
【請求項４】
前記ビデオプロジェクタは３つのＤＭＤ装置（８、９、１０）を使用していることを特徴とする、請求項１乃至３のいずれかに記載のビデオプロジェクタ用投光システム。
【請求項５】
前記ビデオプロジェクタは２つのＤＭＤ装置（８、９）を使用していることを特徴とする、請求項１乃至３のいずれかに記載のビデオプロジェクタ用投光システム。
【請求項６】
前記光ビーム（１、１’）を複数の単色成分に分離するように適合化された前記第１の手段（１２、１２’、１３）は、複数のダイクロイック・フィルタ（１２、１２’、１３）を含んで成るものであることを特徴とする、請求項１に記載のビデオプロジェクタ用投光システム。
【請求項７】
各ＤＭＤ装置（８、９、１０）に、該各ＤＭＤ装置（８、９、１０）によって前記投影レンズ（７）に送られるべき任意の単色成分の光ビームの寸法を制御する光学的開孔（２６）を有する構成要素（２３、２４、２５、２７）が関連づけて設けられていることを特徴とする、請求項１に記載のビデオプロジェクタ用投光システム。
【請求項８】
前記構成要素（２３、２４、２５、２７）は１つの直角柱プリズム（２３、２４、２５、２７）であることを特徴とする、請求項１乃至７のいずれかに記載のビデオプロジェクタ用投光システム。
【請求項９】
前記直角柱プリズム（２３、２４、２５、２７）は１つのＴＩＲプリズム（２３、２４）であることを特徴とする、請求項７に記載のビデオプロジェクタ用投光システム。
【請求項１０】
前記直角柱プリズム（２３、２４、２５、２７）は平行六面体の形状を有する装置（２７）であることを特徴とする、請求項８に記載のビデオプロジェクタ用投光システム。
【請求項１１】
前記装置（２７）はダイクロイック・フィルタ（２８、２９）を含むのに適合していることを特徴とする、請求項１乃至１０のいずれかに記載のビデオプロジェクタ用投光システム。
【請求項１２】
前記光学的開孔（２６）は、前記ＤＭＤ装置（８、９、１０）によって反射された単色成分中に存在する最終的なスプリアス色成分を濾波するように加工されることが可能であることを特徴とする、請求項７に記載のビデオプロジェクタ用投光システム。
【請求項１３】
前記光学的開孔（２６）は長方形の形状であることを特徴とする、請求項７に記載のビデオプロジェクタ用投光システム。
【国際調査報告】
2007534004.tif 000009
2007534004.tif 000010
2007534004.tif 000011
2007534004.tif 000012
2007534004.tif 000013